(57)【要約】      （修正有）【課題】絶縁被膜が被覆された磁性粉末を圧縮成形した複数のコア（圧粉磁心）を配列した分割コアにおいて、従来より磁気特性の向上が確実に図られる分割コアを提供する。【解決手段】一対のサイドコア１０の端面１１０間に複数のミドルコア２０を配置して閉回路を構成した分割コアであって、各コア１０，２０は絶縁被膜を表面に被覆してなる磁性粉末を圧縮成形した圧粉磁心からなり、各コア１０，２０の対向面（サイドコアの端面１１０とミドルコアの端面２１０）を、圧縮成形時において絶縁被膜が破壊されないパンチ面で構成し、磁束の貫通面の絶縁性を確保したものとする。【選択図】図２
2013171855.tif 000002
【特許請求の範囲】
【請求項１】
一対の端面を有する略Ｕ字状の一対のサイドコアを、前記端面が向き合う状態に対向配置するとともに、前記一対のサイドコアの向き合う前記端面間に、略矩形状のミドルコアを複数配置して閉回路を構成した分割コアであって、
前記サイドコアおよび前記ミドルコアは、絶縁被膜を表面に被覆してなる磁性粉末を用いた圧粉磁心からなり、
前記サイドコアの前記端面と、前記ミドルコアにおける前記サイドコアの前記端面に対向する端面と、前記ミドルコアどうしの対向する端面とが、摺動痕を含まない面に形成されていることを特徴とする分割コア。
【請求項２】
一対の端面を有する略Ｕ字状の一対のサイドコアを、前記端面が向き合う状態に対向配置するとともに、前記一対のサイドコアの向き合う前記端面間に、略矩形状のミドルコアを複数配置して閉回路を構成した分割コアであって、
前記サイドコアおよび前記ミドルコアが、絶縁被膜を表面に被覆してなる磁性粉末を用いた圧粉磁心からなるとともに、
前記サイドコアの前記端面と、前記ミドルコアにおける前記サイドコアの前記端面に対向する端面と、前記ミドルコアどうしの対向する端面とが、圧縮成形時におけるパンチ面で構成されていることを特徴とする分割コア。
【発明の詳細な説明】
【技術分野】
【０００１】
本発明は、磁性粉末を圧縮成形してなるコア（磁心）に係り、特に、コアを複数に分割し、これら複数のコアを所定形状に合体させて使用する形式の分割コアに関する。
【背景技術】
【０００２】
近年、燃料電池車、電気自動車、ハイブリッド自動車等のいわゆる低公害車の開発が進められており、特にハイブリッド自動車は、国内外で普及が進みつつある。このようなハイブリッド自動車等においては、バッテリーの電圧から電装品用の電圧への降圧や、モータ等をインバータ制御する場合には、直流電流から高周波数の交流電源への変換がスイッチング電源などを介して行われる。
【０００３】
スイッチング電源の回路には、コアと、コアの周囲に巻回されたコイルとからなるリアクトルが設けられる。リアクトルの性能としては、小型、低損失、低騒音であることに加え、幅広い直流電流領域で安定したインダクタンス特性を有すること、すなわち、直流重畳特性に優れることが求められる。そのため、リアクトル用コアとしては、低鉄損であるとともに、低磁場から高磁場まで微分透磁率が低下せず透磁率が安定しているコア、すなわち恒透磁率性に優れるコアが望ましい。
【０００４】
一般に、リアクトル用コアは珪素鋼板により構成されているが、透磁率が高い材料であるため、高磁場側では磁束密度が飽和し、磁化曲線の接線の傾きである微分透磁率が低下してしまうという特性を有している。このような恒透磁率性に劣るコアをリアクトルに適用するためには、コアを複数に分割した分割コアとし、コア間のギャップにより磁束密度の飽和を抑制して恒透磁率性が確保されるよう調整している。
【０００５】
しかしながら、珪素鋼板は、渦電流損を向上させるために鉄を硬化させる珪素を含有することから、曲げ加工ができず、このためコアを作製するには、珪素鋼板を打ち抜き加工し、打ち抜かれた珪素鋼板を積層して作製しており、造形性に乏しいものである。また、珪素鋼板は透磁率が高いことから、分割コアとする際の個々のコア間のギャップを大きく設ける必要があるが、その場合には、漏れ磁束の発生、損失の増加、騒音の増大、あるいはリアクトルの大型化といった問題を招く。
【０００６】
このため、近年では、鉄などの軟磁性金属粉末を圧縮成形して作製した圧粉磁心の適用が進んでいる。圧粉磁心は、珪素鋼板などによる積層磁心と比較して、作製時の材料歩留まりがよく、材料コストを低減することができたり、形状自由度が高いために形状の最適設計に基づく特性向上を図ることができたりする。さらに、有機樹脂や無機粉末等の電気絶縁物質と金属粉末を混合したり、金属粉末の表面に絶縁被膜を被覆したりして金属粉末間の電気絶縁性を向上させることにより渦電流損を大幅に低減することができ、特に高周波域において優れた磁気特性が得られる。これらの特徴から、リアクトル用コアとして圧粉磁心が注目されている（特許文献１，２等）。
【先行技術文献】
【特許文献】
【０００７】
【特許文献１】特開２００４−１４６８０４号公報
【特許文献２】国際公開ＷＯ２００１／１１８７７４号公報
【発明の概要】
【発明が解決しようとする課題】
【０００８】
上記リアクトル用コアとして、両端部が向かい合ったＵ字状部分に形成され、これらＵ字状部分の対向する一対の各端面間を直線的に結んだ略長方形状のコアが用いられている。このような形状のコアを分割コアで構成するには、両端部のＵ字状部分のコアと、これらＵ字状部分の間の直線部分を構成する複数のコアとを作製し、これらコアを、コア間に一定のギャップを設けた状態で略長方形状に組み込んで保持する。この場合、磁束は各コアの対向面を貫通して閉回路を構成する。
【０００９】
さて、このような分割コアの各コアを、金属粉末の表面に絶縁被膜が被覆された磁性粉末を圧縮成形した圧粉磁心として作製したところ、磁気特性が期待するほど得られない場合があることが判明した。
【００１０】
本発明は上記事情に鑑みてなされたものであり、その主たる技術的課題は、絶縁被膜が表面に被覆されている磁性粉末を用いた圧粉磁心からなる分割コアにおいて、従来より磁気特性の向上が確実に図られる分割コアを提供することを目的とする。
【課題を解決するための手段】
【００１１】
本発明は、一対の端面を有する略Ｕ字状の一対のサイドコアを、前記端面が向き合う状態に対向配置するとともに、前記一対のサイドコアの向き合う前記端面間に、略矩形状のミドルコアを複数配置して閉回路を構成した分割コアであって、前記サイドコアおよび前記ミドルコアは、絶縁被膜を表面に被覆してなる磁性粉末を用いた圧粉磁心からなり、前記サイドコアの前記端面と、前記ミドルコアにおける前記サイドコアの前記端面に対向する端面と、前記ミドルコアどうしの対向する端面とが、摺動痕を含まない面に形成されていることを特徴とする分割コアである。
【００１２】
上記本発明によれば、磁束が貫通する各コアの互いの対向面である端面が、摺動痕を含まない面に形成されているため、それら端面の磁性粉末は絶縁被膜で被覆され絶縁性が保たれている。このため、鉄損の低減が生じにくく従来より磁気特性の向上が確実に図られる。
【００１３】
また、本発明は、一対の端面を有する略Ｕ字状の一対のサイドコアを、前記端面が向き合う状態に対向配置するとともに、前記一対のサイドコアの向き合う前記端面間に、略矩形状のミドルコアを複数配置して閉回路を構成した分割コアであって、前記サイドコアおよび前記ミドルコアが、絶縁被膜を表面に被覆してなる磁性粉末を用いた圧粉磁心からなるとともに、前記サイドコアの前記端面と、前記ミドルコアにおける前記サイドコアの前記端面に対向する端面と、前記ミドルコアどうしの対向する端面とが、圧縮成形時におけるパンチ面で構成されていることを特徴とする分割コアである。
【００１４】
上記本発明によれば、磁束が貫通する各コアの互いの対向面である端面が、圧縮成形時におけるパンチ面で構成されているため、それら端面は、圧縮成形後の抜き出し時に金型内面に摺動して摺動痕が形成されることがなく、磁性粉末は絶縁被膜で被覆され絶縁性が保たれている。このため、鉄損の低減が生じにくく従来より磁気特性の向上が確実に図られる。
【発明の効果】
【００１５】
本発明によれば、絶縁被膜が表面に被覆されている磁性粉末を用いた圧粉磁心からなる分割コアにおいて、従来より磁気特性の向上が確実に図られる分割コアが提供されるといった効果を奏する。
【図面の簡単な説明】
【００１６】
【図１】本発明の一実施形態に係る分割コアの（ａ）平面図、（ｂ）側面図である。
【図２】同分割コアの（ａ）組み立て状態の斜視図、（ｂ）分割した状態の斜視図である。
【図３】同分割コアを構成するサイドコアを金型装置を用いて作製する工程の一例を示す断面図である。
【図４】同金型装置の（ａ）ダイス側の平面図、（ｂ）上型側の下面図である。
【図５】同分割コアを構成するミドルコアを金型装置を用いて作製する工程の一例を示す断面図である。
【図６】同金型装置のダイス側の平面図である。
【図７】コアの（ａ）パンチ面の拡大模式図、（ｂ）ダイス摺動面の拡大模式図である。
【図８】実施例で作製されたコアの（ａ）パンチ面の顕微鏡写真、（ｂ）ダイス摺動面の顕微鏡写真である。
【発明を実施するための形態】
【００１７】
以下、図面を参照して本発明の一実施形態を説明する。
図１（ａ）、（ｂ）は、一実施形態に係る分割コア１の平面図、側面図をそれぞれ示している。図２は分割コア１の斜視図であって、（ａ）は組み立て状態を示し、（ｂ）は分割した状態を示している。一実施形態の分割コア１は、一対のサイドコア１０と、これらサイドコア１０間に配置された複数（この場合、３個）のミドルコア２０とが、全体として略長方形状に配列され、かつ、隣接するコア間に所定のギャップｄを設けた状態が保持されて構成される。ここで、図１および図２に示すＸ方向、Ｙ方向、Ｚ方向を、それぞれ分割コア１の幅方向、長さ方向、高さ方向とする。
【００１８】
各コア１０，２０は圧粉磁心であって、鉄粉末等の金属粉末の個々の表面に絶縁被膜を被覆した磁性粉末を圧縮成形してなるもので、断面は直方体状に形成されている。金属粉末の表面に被覆される絶縁被膜は、例えばシリコーン等の有機樹脂や、シリカ等の無機粉末、あるいはリン酸塩系の絶縁化合物等が用いられる。
【００１９】
サイドコア１０は、Ｘ方向両側の一対の端部１１・１１と、Ｘ方向に延びる中間部１２と、中間部１２から端部１１に移行する各湾曲部１３・１３とを有する略Ｕ字状に形成されており、各端部１１に、Ｙ方向に直交する端面１１０がそれぞれ形成されている。一対のサイドコア１０は、所定の間隔を空けて各端面１１０が向き合う状態に対向配置される。
【００２０】
ミドルコア２０は三辺の長さが異なる直方体状に形成されており、一対のサイドコア１０の互いに向き合う端面１１０間に直線的に配列される。この場合、ミドルコア２０は、図２に示すように各辺の長さがＺ方向、Ｙ方向、Ｘ方向の順に長くなる状態に配置され、隣接するミドルコア２０の端面２１０が平行に対向し、かつ、サイドコア１０に隣接するミドルコア２０の端面２１０がサイドコア１０の端面１１０に平行に対向している。
【００２１】
このようにコア１０，２０が配列された分割コア１は、互いに対向する端面１１０，２１０間に一定間隔のギャップｄを設けて配列状態が保持される。端面１１０，２１０間のギャップｄはそのまま空間に設定されるか、あるいは絶縁性を高め磁束密度の飽和抑制作用を高めるために、セラミック等の適宜材料からなる薄板部材が挟まれる。この分割コア１にはコイルが巻回されて例えばリアクトルとして用いられ、使用時には各コア１０，２０を配列順に循環するように磁束が流れる。すなわち、磁束は各コア１０，２０の対向する端面１１０，２１０を直交する状態に貫通して流れ、閉回路を構成する。
【００２２】
上記構成の分割コア１を構成するサイドコア１０とミドルコア２０は、上記のように金属粉末の表面に絶縁被膜を被覆した磁性粉末を圧縮成形してなるものであり、以下、その作製方法の一例を説明する。
【００２３】
図３は、サイドコア用の金型装置５０でサイドコア１０を作製する工程の一例を示している。同図で５１は上面が水平で上下方向に貫通する形孔５１０を有するダイスである。図４（ａ）に示すように、ダイス５１の形孔５１０はサイドコア１０の幅と高さ（それぞれ図２でのＸ方向長さとＺ方向長さ）に対応した直方体状に形成されている。この形孔５１０には、形孔５１０の中心に配置された内側下パンチ５２と、内側下パンチ５２を幅方向の両側から挟む左右一対の外側下パンチ５３とが、上下方向に移動自在に挿入される。
【００２４】
図４（ａ）に示すように、一対の外側下パンチ５３は形孔５１０の幅側内面５１１と高さ側内面５１２に摺動するように挿入され、これら外側下パンチ５３間に、高さ側内面５１２に摺動する内側下パンチ５２が下側から摺動自在に挿入される。内側下パンチ５２の上端面は、サイドコア１０の両端部間にわたる内面を形成する形状に形成されている。また、左右の外側下パンチ５３の上端面は水平に形成されている。
【００２５】
ダイス５１の上方には、内側下パンチ５２の直上に位置付けられた上パンチ５５と、上下方向に移動可能で、上パンチ孔５６０を有する上型５６とが配設されている。図４（ｂ）に示すように、上型５６の上パンチ孔５６０はサイドコア１０の中間部の外面の幅と高さに対応した直方体状に形成されており、この上パンチ孔５６０に上パンチ５５が上下方向に摺動自在に挿入される。上型５６の下面の、上パンチ孔５６０の両側には、サイドコア１０の湾曲部１３の外面を形成する凹状の湾曲面５６３が形成されている。上パンチ５５および上型５６の各下面は、水平に形成されている。上型５６が下降すると、図３（ｂ）に示すように下面がダイス５１の上面に当接して型締めの状態となり、湾曲面５６３はダイス５１の孔５１０に対応するように配置される。
【００２６】
以上の構成を有する金型装置５０でサイドコア１０を作製するには、まず、図３（ａ）に示すように、ダイス５１内に外側下パンチ５３および内側下パンチ５２を挿入し、内側下パンチ５２を外側下パンチ５３よりも所定長さ上方に突出させ、ダイス５１内に所定容積のキャビティ５９を形成する。そしてこのキャビティ５９内に原料粉末すなわち磁性粉末Ｐをすり切りして供給する。
【００２７】
次に、図３（ｂ）に示すように、上パンチ５５を下端面が上型５６の湾曲面５６３よりも上昇させた状態としてから、上型５６を下降させて下面をダイス５１の上面に当接させて型締めし、さらにこの状態を保持して、上型５６および上パンチ５５と、ダイス５１とを下降させ、キャビティ５９を略Ｕ字状に変形させてそのキャビティ５９内に磁性粉末Ｐが充満した状態とする。
【００２８】
次に、図３（ｃ）に示すように上パンチ５５を下方に、また、各下パンチ５２，５３を上方にそれぞれ移動させて磁性粉末Ｐを圧縮し、磁性粉末Ｐをサイドコア１０の形状に成形する。次いで、図３（ｄ）に示すように、上型５６および上パンチ５５を上方に退避させ、ダイス５１を下降させて、サイドコア１０の成形体を抜き出す。この後は内側下パンチ５２を下降させ、サイドコア１０を取り出す。このサイドコア１０の端面１１０は、外側下パンチ５３の上端面で押圧されたパンチ面で構成される。
【００２９】
次に、ミドルコア２０の作製方法を説明する。図５は、ミドルコア用の金型装置６０でミドルコア２０を作製する工程の一例を示している。同図で６１は上面が水平で上下方向に貫通する形孔６１０を有するダイスである。図６に示すように、ダイス６１の形孔６１０はミドルコア２０の幅と高さ（それぞれ図２でのＸ方向長さとＺ方向長さ）に対応した直方体状に形成されている。この形孔６１０には、下側から下パンチ６２が、また、上側から上パンチ６５が、それぞれ摺動自在に挿入される。下パンチ６２の上端面および上パンチ６５の下端面は水平に形成されている。
【００３０】
この金型装置６０によってミドルコア２０を作製するには、まず、図５（ａ）に示すように、ダイス６１内に下パンチ６２を挿入してダイス６１内に所定容積のキャビティ６９を形成する。そしてこのキャビティ６９内に磁性粉末Ｐをすり切りして供給する。
【００３１】
次に、図５（ｂ）に示すように、上パンチ６５を下降させてキャビティ６９内に挿入し、続いて下パンチ６２を上方に移動させて磁性粉末Ｐを圧縮し、磁性粉末Ｐをミドルコア２０の形状に成形する。次いで、図５（ｃ）に示すように、上パンチ６５をダイス６１から抜いて上方に退避させ、ダイス６１を下降させて、成形体すなわちミドルコア２０を抜き出す。このミドルコア２０においては、上下のパンチ６５，６２で押圧されたパンチ面が、分割コア１に組み立てられた際に上記端面１１０とされる。
【００３２】
以上のようにしてサイドコア１０とミドルコア２０は磁性粉末を圧縮成形して得られるが、各コア１０，２０は圧縮成形後に所定温度で熱処理され、上記分割コア１に組み立てられる。熱処理は、金属粉末を被覆している絶縁被膜の材質に応じた温度で行われ、例えば絶縁被膜が樹脂の場合には例えば３００〜４００℃程度、シリカ等の無機材料の場合には若干耐熱性が上がるため例えば５００〜６００℃程度で行われる。
【００３３】
作製されたサイドコア１０とミドルコア２０は、図１および図２に示すように配列されて分割コア１として構成される。この分割コア１においては、互いに対向する端面、すなわちサイドコア１０の端面１１０と、ミドルコア２０の端面２１０が、上記のようにパンチ面で構成されており、これらパンチ面である端面１１０，２１０を磁束が貫通することになる。
【００３４】
ここで、それぞれのパンチ面について着目すると、パンチ面は図７（ａ）に示すように金属粉末が押圧されて扁平状に変形するものの、個々の金属粉末の表面に絶縁被膜が被覆されている状態は保たれている。
【００３５】
一方、各コア１０，２０においては、圧縮成形後にダイス（５１，６１）から抜き出す際に、ダイスの内壁面に接して摺動するダイス摺動面がある。このダイス摺動面としては、サイドコア１０においては端部１１の内面や外面、Ｕ字状の上下の面であり、ミドルコア２０においては端面１１０以外の側面および上下の面である。
【００３６】
金型内で圧縮成形されたコア１０，２０は、金型内において横方向すなわちダイスの内壁面方向に膨出するように圧縮されているため、その内壁面に強く圧接している状態である。この状態からダイス外に抜き出されるコア１０，２０は、ダイス摺動面がダイスの内壁面に強く圧接した状態で摺動しながら抜き出され、このためコア１０，２０のダイス摺動面には抜き方向に沿った擦れ傷すなわち摺動痕が形成される。この摺動痕は、パンチ面である端面１１０，２１０には形成されない。摺動痕が形成されたダイス摺動面は、図７（ｂ）に示すように、金属粉末を被覆している絶縁被膜が破壊され、隣接する金属粉末どうしが接触して導通するという絶縁不良が発生しやすくなる。
【００３７】
絶縁被膜は、金属粉末間の電気絶縁性を向上させて渦電流損を大幅に低減させ、かつ、最大微分透磁率を低減させて恒透磁率性を高め、特に高周波域において優れた磁気特性が得られることに寄与することは前述した通りである。したがって絶縁被膜による金属粉末間の絶縁性が保持されているパンチ面を磁束が通る端面１１０，２１０としている本実施形態の分割コア１は、コアとして高性能を有し、例えばリアクトル用コアとしてきわめて好適である。これに対し、ダイス摺動面を磁束が貫通する端面として分割コアを構成した場合には、絶縁被膜による磁気特性向上の効果が得にくくなる。
【００３８】
［実施例］
図１および図２に示したような分割コアとして、コアどうしの対向面を上記実施形態のようにパンチ面で構成した分割コア（実施例）と、比較例としてダイス摺動面とした分割コアを磁性粉末を用いて実際に作製し、磁束密度０．１Ｔ、周波数５ｋＨｚの条件下で鉄損を測定した。その結果、実施例の分割コアの鉄損は２１（Ｗ／ｋｇ）であったのに対し、比較例の分割コアの鉄損は９（Ｗ／ｋｇ）と大幅に低く、磁気特性に大きな差異があり実施例の方が優位であることがわかった。
【００３９】
図８（ａ）、（ｂ）は、それぞれコアのパンチ面、ダイス摺動面の顕微鏡写真を示している。図８（ａ）に示すパンチ面においては、個々の金属粉末は絶縁被膜で被覆された状態が保たれている。これに対し図８（ｂ）に示すダイス摺動面には、摺動痕が形成されており、絶縁被膜は破壊されて確認することができず、個々の金属粉末も判別することができずに擦られて繋がったような状態に見える。これら写真で明らかなように、個々のコアの対向面にパンチ面を配置することにより、ダイス摺動面を配置した場合に比べて磁気特性を大幅に向上させることがわかった。
【産業上の利用可能性】
【００４０】
本発明は、変圧器、リアクトル、サイリスタバルブ、ノイズフィルタ、チョークコイル、あるいは比較的高い磁束密度が必要なモータ用コアやディーゼルエンジンおよびガソリンエンジンの電子制御式燃料噴射装置に組み込まれる電磁弁用のソレノイドコア等の圧粉磁心からなる分割コアとして利用することができる。
【符号の説明】
【００４１】
１…分割コア
１０…サイドコア
２０…ミドルコア
１１０…サイドコアの端面（パンチ面）
２１０…ミドルコアの端面（パンチ面）
Ｐ…磁性粉末
【図１】
2013171855.tif 000003
【図２】
2013171855.tif 000004
【図３】
2013171855.tif 000005
【図４】
2013171855.tif 000006
【図５】
2013171855.tif 000007
【図６】
2013171855.tif 000008
【図７】
2013171855.tif 000009
【図８】
2013171855.tif 000010